(57)【要約】    【課題】  レンズの偏芯、レンズの間隔、光軸の倒れの保証を行いやすくし、より精度のよいレンズ保持構造を実現することを可能とするレンズ保持機構及び撮像装置を提供する。    【解決手段】  撮像装置のフォーカス機構は、第一レンズ1、第一レンズ1を保持する第一レンズ保持部2、第二レンズ3、第二レンズ3を保持する第二レンズ保持部4、第一レンズ保持部2を光軸方向に移動させるレンズ移動部5を備える。第一レンズ押圧部8によりレンズ移動部5に第一レンズ保持部2を押圧し、レンズ移動部5のカム部5aに第一レンズ保持部2のフォロワ部2aを押しつけ、レンズ移動部5の保持部5bを第二レンズ保持部4の保持部4aの溝部に係合させることで、第一レンズ保持部2を支持したレンズ移動部5を第二レンズ保持部4にバヨネット状に組み込んで保持する。【選択図】      図１
2005227556.tif 000002
【特許請求の範囲】
【請求項１】
少なくとも２つのレンズを保持するレンズ保持機構であって、
一方のレンズを保持する第一レンズ保持手段と、前記一方のレンズと同じ光軸上に配置される他方のレンズを保持する第二レンズ保持手段と、前記第一レンズ保持手段を光軸方向に移動させるレンズ移動手段とを備え、
前記第一レンズ保持手段及び前記レンズ移動手段を前記第二レンズ保持手段に保持することを特徴とするレンズ保持機構。
【請求項２】
前記第一及び第二レンズ保持手段の間に配置され、前記第一レンズ保持手段を前記レンズ移動手段に対して付勢すると共に、前記第二レンズ保持手段を前記第一レンズ保持手段とは逆方向に付勢する押圧手段を更に備え、
前記レンズ移動手段にレール形状の係合部を形成すると共に、前記第二レンズ保持手段に前記係合部と係合可能な保持部を一体で形成し、
前記レンズ移動手段の前記係合部を前記第二レンズ保持手段の前記保持部に係合させ、前記レンズ移動手段を前記第二レンズ保持手段にバヨネット状に組み込んで保持することを特徴とする請求項１記載のレンズ保持機構。
【請求項３】
前記第一レンズ保持手段に前記レンズ移動手段との対向側に突起部を形成すると共に、前記レンズ移動手段に前記突起部と当接して前記第一レンズ保持手段の移動時の案内及び移動規制を行うカム部を形成したことを特徴とする請求項１記載のレンズ保持機構。
【請求項４】
駆動力を発生する駆動手段と、前記駆動手段の駆動力を前記レンズ移動手段に伝達する伝達手段とを更に備え、
前記駆動力により前記レンズ移動手段を回転させることで、前記第一レンズ保持手段を光軸方向に移動させることを特徴とする請求項１記載のレンズ保持機構。
【請求項５】
前記一方のレンズは、撮像装置の焦点を被写体に合致させるフォーカスレンズであることを特徴とする請求項１記載のレンズ保持機構。
【請求項６】
前記一方のレンズは、撮像装置の焦点距離を変更するズームレンズであることを特徴とする請求項１記載のレンズ保持機構。
【請求項７】
前記請求項１乃至６の何れかに記載のレンズ保持機構を備えたことを特徴とする撮像装置。
【請求項８】
外部からの操作に基づき前記駆動手段を駆動することで前記レンズ移動手段を回転させ、前記第一レンズ保持手段を光軸方向に移動させる制御手段を備えることを特徴とする請求項７記載の撮像装置。
【請求項９】
前記撮像装置は、デジタルカメラ、フィルムカメラ、ビデオカメラを含む群から選択されるものであることを特徴とする請求項７記載の撮像装置。
【発明の詳細な説明】
【技術分野】
【０００１】
本発明は、撮影レンズを駆動する機構を備えたデジタルカメラ、フィルムカメラ、ビデオカメラ等の撮像装置に適用して好適なレンズ保持機構及び撮像装置に関する。
【背景技術】
【０００２】
近年、フィルムを使用せずに被写体を撮像し画像をメモリに取り込むことができるデジタルカメラが急速に普及している。デジタルカメラの機種の中には、撮影倍率を変更できるズーム機構を備えたものがある。この場合、デジタルカメラには、一般的に、撮影レンズ鏡筒をズームさせる鏡筒ズーム機構と、ＣＣＤやＣＭＯＳ等の撮像デバイス上に被写体像のピントを合わせるフォーカス機構を装備することが必要である。また、従来からある銀塩フィルムを使用するフィルムカメラにおいても、上記と同様な機構が必要である。
【０００３】
従来、上述したデジタルカメラやフィルムカメラ等の撮像装置においては、鏡筒ズーム機構、フォーカス機構はそれぞれ独立した位置に保持されており、両機構が積み上がるように連結されているのが一般的である（例えば、特許文献１参照）。
【特許文献１】特許第２６４４８３６号
【発明の開示】
【発明が解決しようとする課題】
【０００４】
しかしながら、従来のように撮像装置に装備される鏡筒ズーム機構やフォーカス機構等の各々レンズを移動させる機構は、別個に構成されており、それぞれの機構を連結して使用するのが一般的であった。このようなレンズを移動させる機構は、非常に高い精度を必要とし、機構を構成する部品のばらつきに極めて敏感であり、それらを精度良く管理することは多くの労力が必要となる。従来においては、レンズ間の精度を確保するために、レンズの間隔を調整したり、光軸の倒れの調整を行ったりする必要があった。
【０００５】
本発明の目的は、レンズの偏芯、レンズの間隔、光軸の倒れの保証を行いやすくし、より精度のよいレンズ保持構造を実現することを可能としたレンズ保持機構及び撮像装置を提供することにある。
【課題を解決するための手段】
【０００６】
上述の目的を達成するために、本発明のレンズ保持機構は、少なくとも２つのレンズを保持するレンズ保持機構であって、一方のレンズを保持する第一レンズ保持手段と、前記一方のレンズと同じ光軸上に配置される他方のレンズを保持する第二レンズ保持手段と、前記第一レンズ保持手段を光軸方向に移動させるレンズ移動手段とを備え、前記第一レンズ保持手段及び前記レンズ移動手段を前記第二レンズ保持手段に保持することを特徴とする。
【０００７】
また、本発明のレンズ保持機構は、前記第一及び第二レンズ保持手段の間に配置され、前記第一レンズ保持手段を前記レンズ移動手段に対して付勢すると共に、前記第二レンズ保持手段を前記第一レンズ保持手段とは逆方向に付勢する押圧手段を更に備え、前記レンズ移動手段にレール形状の係合部を形成すると共に、前記第二レンズ保持手段に前記係合部と係合可能な保持部を一体で形成し、前記レンズ移動手段の前記係合部を前記第二レンズ保持手段の前記保持部に係合させ、前記レンズ移動手段を前記第二レンズ保持手段にバヨネット状に組み込んで保持することを特徴とする。
【０００８】
また、本発明のレンズ保持機構は、前記第一レンズ保持手段に前記レンズ移動手段との対向側に突起部を形成すると共に、前記レンズ移動手段に前記突起部と当接して前記第一レンズ保持手段の移動時の案内及び移動規制を行うカム部を形成したことを特徴とする。
【０００９】
また、本発明のレンズ保持機構は、駆動力を発生する駆動手段と、前記駆動手段の駆動力を前記レンズ移動手段に伝達する伝達手段とを更に備え、前記駆動力により前記レンズ移動手段を回転させることで、前記第一レンズ保持手段を光軸方向に移動させることを特徴とする。
【００１０】
また、本発明のレンズ保持機構は、前記一方のレンズは、撮像装置の焦点を被写体に合致させるフォーカスレンズであることを特徴とする。
【００１１】
また、本発明のレンズ保持機構は、前記一方のレンズは、撮像装置の焦点距離を変更するズームレンズであることを特徴とする。
【００１２】
上述の目的を達成するために、本発明の撮像装置は、前記何れかに記載のレンズ保持機構を備えたことを特徴とする。
【００１３】
また、本発明の撮像装置は、外部からの操作に基づき前記駆動手段の駆動力により前記レンズ移動手段を回転させ、前記第一レンズ保持手段を光軸方向に移動させる制御手段を備えることを特徴とする。
【００１４】
また、本発明の撮像装置は、デジタルカメラ、フィルムカメラ、ビデオカメラを含む群から選択されるものであることを特徴とする。
【００１５】
更に、本発明は、レンズ保持機構において、一方のレンズ又はレンズ群を保持する第一レンズ保持手段と、前記一方のレンズ又はレンズ群と同じ光軸上に配置される他方のレンズ又はレンズ群を保持する第二レンズ保持手段と、前記第一レンズ保持手段が係合可能な形状を有し、前記第一レンズ保持手段を光軸方向に移動させるレンズ移動手段と、前記第一及び第二レンズ保持手段の間に配置され、前記第一レンズ保持手段を前記レンズ移動手段に対して付勢すると共に、前記第二レンズ保持手段を逆方向に付勢する押圧手段とを備え、前記レンズ移動手段に形成した係合部を、前記第二レンズ保持手段に形成した保持部に係合させ、前記レンズ移動手段を前記第二レンズ保持手段にバヨネット状に組み込んで保持する構成としてもよい。
【発明の効果】
【００１６】
本発明によれば、一方のレンズを保持した第一レンズ保持手段及び該第一レンズ保持手段を移動させるレンズ移動手段を、他方のレンズを保持した第二レンズ保持手段に保持するため、即ち、一方のレンズを駆動する構成部品を全て、他方のレンズを保持する構成部品に対して保持する構造としているため、一方のレンズと他方のレンズの偏芯、レンズ間隔、光軸の倒れの保証、寸法の補正等の対策を行いやすくすることができると共に、安定的な光学性能を出しやすくすることができ、より精度の良いレンズ保持構造を実現することができる。また、上記のようなレンズ保持構造とすることで、他方のレンズに対する一方のレンズの寸法精度を確保するのに少ない部品で構成できるため、部品点数を低減できると共にコスト低下を図ることができる。
【００１７】
また、本発明によれば、第一レンズ保持手段をレンズ移動手段に対し付勢すると共に第二レンズ保持手段を逆方向に付勢し、レンズ移動手段のレール形状の係合部を第二レンズ保持手段に一体で形成した保持部に係合させ、レンズ移動手段を第二レンズ保持手段にバヨネット状に組み込んで保持するため、実使用状態では、第二レンズ保持手段に対する第一レンズ保持手段及びレンズ移動手段の保持関係は解除されることはなく、保持関係を良好に保つことができる。
【００１８】
また、本発明によれば、レンズ移動手段に第一レンズ保持手段の突起部と当接して第一レンズ保持手段の移動時の案内及び移動規制を行うカム部を形成しているため、第一レンズ保持手段の移動を的確に行うことができ、レンズ間隔の調整等を行いやすくすることができる。
【００１９】
また、本発明によれば、駆動手段の駆動力によりレンズ移動手段を回転させることで、第一レンズ保持手段を光軸方向に移動させるため、上記同様に、第一レンズ保持手段の移動を的確に行うことができ、レンズ間隔の調整等を行いやすくすることができる。
【００２０】
また、本発明によれば、一方のレンズは、撮像装置の焦点を被写体に合致させるフォーカスレンズであるため、部品点数を増加させることなく、より精度の良いフォーカスレンズ保持構造を実現することができる。
【００２１】
また、本発明によれば、一方のレンズは、撮像装置の焦点距離を変更するズームレンズであるため、部品点数を増加させることなく、より精度の良いズームレンズ保持構造を実現することができる。
【発明を実施するための最良の形態】
【００２２】
以下、本発明の実施の形態を図面に基づき説明する。
【００２３】
図４は、本実施の形態に係る撮像装置の電源ＯＮ状態（バリア開成状態）における斜視図、図５は、撮像装置の電源ＯＦＦ状態（バリア閉成状態）における斜視図、図６は、撮像装置の電源ＯＮ状態における上面図、図７は、撮像装置の底面図、図８は、デジタルカメラの背面図である。
【００２４】
図４乃至図８において、撮像装置１１は、例えばデジタルカメラとして構成されており、バリア１２、撮影レンズ鏡筒１３、ファインダ１４、ファインダ接眼部１４ａ、測光測距センサ１５、赤目ランプ１６、ストロボ１７、撮影レンズ１８、レリーズボタン１９、ストロボ発光モードボタン２０、ストラップ保持部２１、三脚取付部２２、カードバッテリカバー２４、外部入出力端子取付部２５、操作ボタン２６、ディスプレイ２７、ズームボタン２８を備えている。
【００２５】
撮像装置１１の正面部には、撮影レンズ１８を含む後述の図１に示す各部品を収納すると共に撮影レンズ１８の光軸方向に移動（突出／退避）可能な撮影レンズ鏡筒１３と、カメラ本体の長手方向略中央部と一方の端部側との間をスライド可能なバリア１２が配設されている。尚、撮影レンズ１８は後述の第一レンズ１及び第二レンズ３の総称である。
【００２６】
撮影レンズ鏡筒１３は、撮像装置１１の電源ＯＦＦ状態では、カメラ本体内部に退避状態となると共にバリア１２で覆われ（図５参照）、電源ＯＮ状態（使用状態）では、バリア１２が長手方向一方の端部側にスライドすることでカメラ本体から突出状態となる（図４参照）。即ち、撮像装置１１は、使用時にはバリア１２をカメラ本体の長手方向にスライドさせることで撮影レンズ鏡筒１３を開放するスライドバリアタイプとして構成されている。
【００２７】
更に、撮像装置１１の正面部には、被写体の構図を決めるファインダ１４、測光測距を行う測光測距センサ１５、赤目ランプ１６、ストロボ１７が配設されている。撮像装置１１の上面部には、撮影動作を指示するためのレリーズボタン１９、ストロボ１７を発光させるモードを設定するためのストロボ発光モードボタン２０が配設されている。撮像装置１１の側面部には、ストラップ保持部２１、外部機器を接続するための外部入出力端子取付部２５が配設されている。
【００２８】
撮像装置１１の底面部には、三脚取付部２２、メモリカードドライブ３４（図９参照）及びバッテリ挿入部（不図示）が内部に装備されているカードバッテリカバー２４が配設されている。撮像装置１１の背面部には、撮像装置１１の動作モードの選択やストロボ１７の発光の有無の設定などを行うための操作ボタン２６、ＬＣＤから構成された画像表示用のディスプレイ２７、デジタルズームを設定するためのズームボタン２８、ファインダ１４に連通したファインダ接眼部１４ａが配設されている。
【００２９】
使用者は操作ボタン２６を操作することにより、撮像装置１１の動作モード、例えば撮影モード、再生モード、動画撮影モード等の選択を行う。ディスプレイ２７は、メモリ２９（図９参照）に保存された画像データやメモリカード（不図示）から読み出された画像データを画面上に表示する。また、操作者が操作ボタン２６により所望の動作モードを選択することにより、複数の撮影画像データを縮小してディスプレイ２７に表示したりすることもできる。
【００３０】
図９は、撮像装置１１の要部の構成を示すブロック図である。
【００３１】
図９において、先ず、撮像装置１１の各部の構成を説明する。撮像装置１１の制御系は、ＣＰＵ３０、ＲＯＭ３１、ＲＡＭ３２から構成されている。ＲＯＭ３１には、各構成要素を制御する制御プログラムが記憶されている。ＲＡＭ３２には、制御プログラムに必要なデータが記憶されている。ＣＰＵ３０は、ＲＯＭ３１に記憶された制御プログラムに基づき図１０のフローチャートに示す処理を実行する。制御系には、バス３３を介してレンズ移動検出部１０、レリーズボタン１９、操作ボタン２６、ディスプレイ２７、メモリ２９、メモリカードドライブ３４、駆動回路３５、圧縮伸張部４５、バリア電源スイッチ４６が接続されている。
【００３２】
駆動回路３５は、測光測距センサ１５（測光センサ１５ａ、測距センサ１５ｂ）、ストロボ１７、ズームモータ駆動部３６、フォーカスモータ駆動部３７、シャッタ駆動部３８、ＣＣＤやＣＭＯＳイメージセンサ等の撮像デバイス３９と接続されており、制御系からの信号に基づき各部の駆動を制御する。
【００３３】
測光センサ１５ａは、被写体の明るさを計測する。測距センサ１５ｂは、被写体までの距離を計測する。ズームモータ駆動部３６は、ズームモータを駆動する。フォーカスモータ駆動部３７は、フォーカスモータを駆動する。シャッタ駆動部３８は、シャッタ機構４１を駆動する。撮像デバイス３９は、被写体の光学像を画像信号に光電変換する。
【００３４】
アナログ信号処理部４２は、撮像デバイス３９から出力されるアナログ信号の処理を行う。Ａ／Ｄ変換部４３は、アナログ信号処理部４２から出力されるアナログ信号をデジタル信号に変換する。デジタル信号処理部４４は、Ａ／Ｄ変換部４３から出力されるデジタル信号の処理を行う。メモリ２９は、画像データを保存する。圧縮伸張部４５は、画像データの圧縮処理や伸張処理を行う。メモリカードドライブ３４は、メモリカード（不図示）に対する画像データの書き込み／読み出しを行う。
【００３５】
次に、撮像装置１１の動作を説明する。使用者がバリア１２をスライドさせることで、バリア１２のスライド動作に連動するバリア電源スイッチ４６をＯＦＦからＯＮにすると、ＣＰＵ３０はＲＯＭ３１から必要な制御プログラムを読み出して初期動作を開始する。即ち、バリア１２の開成動作を行った後、ＣＰＵ３０の制御により、カメラ本体内部に収納されていた撮影レンズ鏡筒１３を所定の撮影可能領域に移動させることで、撮像装置１１は撮影スタンバイ状態となる。
【００３６】
使用者が撮影を行うためにレリーズボタン１９を押すと、測光センサ１５ａにより被写体の明るさを計測する測光を行い、ＣＰＵ３０はその測光値に基づき絞り値やシャッタスピードを決定すると共に、ストロボ１７を発光させるかどうかを判断する。また、使用者が予め操作ボタン２６を操作することにより、ストロボ１７を強制的に発光させるか発光させないかを選択することもできる。次に、測距センサ１５ｂにより測距を行い被写体までの距離を計測し、駆動回路３５によりフォーカスモータ駆動部３７を駆動することにより、フォーカス機構４０を所定のフォーカス位置へ移動させる。次に、シャッタ駆動部３８によりシャッタ機構４１の開閉を行い、所望の被写体の光学像を撮像デバイス３９に取り込む。
【００３７】
撮像デバイス３９には、露光制御値に基づいて入射した光の光量に応じた電荷が蓄積され、その電荷が画像信号となり、アナログ信号処理部４２へ出力される。アナログ信号処理部４２では、入力された画像信号にアナログ処理を施し、アナログ信号をＡ／Ｄ変換部４３に出力する。Ａ／Ｄ変換部４３では、入力されたアナログ信号をデジタル信号に変換し、デジタル信号をデジタル信号処理部４４に出力する。デジタル信号処理部４４では、デジタル信号の処理を行う。最終的にデジタルの画像データはメモリ２９に記憶されることになる。
【００３８】
メモリ２９に記憶された画像データは、使用者による操作ボタン２６の操作により、圧縮伸張部４５によりＪＰＥＧ（Joint Photographic Experts Group）やＴＩＦＦ（Tagged Image File Format）等の圧縮加工等が施され、メモリカードドライブ３４に出力され、メモリカードに記憶される。また、メモリ２９を装備しない撮像装置の場合、デジタル信号処理部４４で処理されたデジタルの画像データは、圧縮伸張部４５で圧縮処理され、メモリカードドライブ３４のメモリカードに記憶されることになる。
【００３９】
また、メモリ２９に記憶された画像データやメモリカードドライブ３４のメモリカードに記憶されている画像データを、圧縮伸張部４５によって伸張処理を行い、その画像データをバス３３を介してディスプレイ２７に表示させることができる。使用者はディスプレイ２７上の画像を目視し、その画像が不必要であると判断した場合は、操作ボタン２６を操作することにより画像を消去することができる。
【００４０】
また、使用者はズームボタン２８を操作することにより、駆動回路３５を介してズームモータ駆動部３６を制御することで、撮影レンズ鏡筒１３を撮影レンズ１８の光軸方向に移動させる。また、使用者はズームボタン２８を操作することにより、ディスプレイ２７上に表示されている画像を拡大或いは縮小する、いわゆるデジタルズームを行うことができる。
【００４１】
次に、撮像装置１１の撮影レンズ鏡筒１３におけるレンズ保持構造について説明する。
【００４２】
図１は、撮像装置１１のフォーカス機構の構成を示す概略断面図、図２は、フォーカス機構を前方から見た場合の構成を示す分解斜視図、図３は、フォーカス機構を後方から見た場合の構成を示す分解斜視図である。
【００４３】
図１乃至図３において、フォーカス機構は、撮影レンズ鏡筒１３を構成する鏡筒保持部６に、第一レンズ群１、第一レンズ保持部２、第二レンズ群３、第二レンズ保持部４、レンズ移動部５、鏡筒保持部６、レンズ駆動モータ７等の各部品を組み込んだ構造となっている。図２及び図３のＬ１、Ｌ２は各部品の組み付け方向を示す線である。
【００４４】
第一レンズ群（以下第一レンズと略称）１は、１個以上のレンズから構成されており（本実施の形態では１個）、第一レンズ保持部２により保持されている。第二レンズ群（以下第二レンズと略称）３は、１個以上のレンズから構成されており（本実施の形態では２個）、第二レンズ保持部４により保持されている。第一レンズ１と第二レンズ３は同じ光軸上に配置される。第一レンズ保持部２には、半球状のフォロワ部２ａが一体で形成されており、第二レンズ保持部４には、溝部を有する断面Ｌ字形状の保持部４ａが一体で形成されている。
【００４５】
レンズ移動部５は、第一レンズ保持部２を光軸方向に移動させる部材であり、内周部に一体で形成され第一レンズ保持部２の移動時の案内及び移動規制を行うカム部５ａと、内周部に形成されたレール形状を有する保持部５ｂと、外周部に一体で形成されたギア５ｃと、外周部に形成された被検出部５ｄと、内周部に等間隔で形成された例えば３箇所の切欠部５ｅとを備えている。
【００４６】
第一レンズ保持部２のフォロワ部２ａは、レンズ移動部５のカム部５ａに対して第一レンズ押圧部８により付勢されている。第一レンズ押圧部８の押圧力により、第一レンズ保持部２のフォロワ部２ａがレンズ移動部５のカム部５ａのカム面に押しつけられ、カム面を追従できるようになっている。また、第二レンズ保持部４の保持部４ａには、レンズ移動部５の保持部５ｂが保持されている。
【００４７】
第一レンズ押圧部８は、本実施の形態では圧縮コイルスプリングとして構成され、図１に示すように第一レンズ保持部２と第二レンズ保持部４との間に組み込まれており、第一レンズ保持部２と第二レンズ保持部４を光軸上の逆方向に付勢している。第一レンズ押圧部８がレンズ移動部５に対し第一レンズ保持部２を押圧することにより、レンズ移動部５に第一レンズ保持部２を支持（搭載）し、レンズ移動部５に一体で配設されているレール形状の保持部５ｂが、第二レンズ保持部４に配設されているＬ字形状の保持部４ａの溝部に係合するようになっている。
【００４８】
後述するようにレンズ駆動モータ７を駆動しレンズ移動部５を回転させることで、第一レンズ１を保持した第一レンズ保持部２を光軸方向に移動させることにより、撮像装置１１の焦点を合わせることができる。尚、本実施の形態では、第一レンズ１を、撮像装置１１の焦点を被写体に合致させるフォーカスレンズとした場合を例に挙げるが、撮像装置１１の焦点距離を変更するズームレンズにも適用可能である。
【００４９】
第一レンズ保持部２を係合させたレンズ移動部５を第二レンズ保持部４に連結する組み立て時には、レンズ移動部５の切欠部５ｅと第二レンズ保持部４の保持部４ａとを位置合わせし、レンズ移動部５を第二レンズ保持部４に対して回転させる。これに伴い、図１に示すように、第二レンズ保持部４のＬ字形状の保持部４ａの溝部にレンズ移動部５のレール形状の保持部５ｂが嵌合することにより、レンズ移動部５と第二レンズ保持部４の連結が可能となる。
【００５０】
このように、レンズ移動部５を第二レンズ保持部４にバヨネット状に組み込むことで、両者を連結するための部品を別個に設けることが不要となる。レンズ移動部５と第二レンズ保持部４のバヨネット結合により、実使用状態では、第二レンズ保持部４に対する第一レンズ保持部２及びレンズ移動部５の保持関係は解除されることはなく、保持関係を良好に保つことができる。
【００５１】
また、レンズ移動部５の外周に一体で形成されたギア５ｃには、レンズ移動第一ギア９が噛み合っており、レンズ移動第一ギア９には、レンズ移動第二ギア７ａが噛み合っている。更に、レンズ移動第二ギア７ａは、レンズ駆動モータ７の回転軸に固定されている。本実施の形態では、レンズ駆動モータ７はステッピングモータとして構成されており、ステップ毎に決められた移動量だけ動作することができる。レンズ駆動モータ７及びレンズ移動第一ギア９は、それぞれ、第二レンズ保持部４に組み込まれるようになっている。
【００５２】
駆動回路３５によりレンズ駆動モータ７を電気的に駆動することにより、レンズ移動第二ギア７ａ及びレンズ移動第一ギア９を介してレンズ移動部５を回転させることで、第一レンズ１を保持した第一レンズ保持部２を移動させる。また、レンズ移動検出部１０は、レンズ移動部５の回転に伴いその外周に一体で形成された被検出部５ｄがレンズ移動検出部１０の検出位置を横切るように配設されている。これにより、レンズ移動検出部１０によりレンズ移動部５の基準位置を検出することができる。上記の構成要素は最終的に鏡筒保持部６に組み込まれる。
【００５３】
次に、撮像装置１１の撮影時の動作シーケンスを説明する。
【００５４】
図１０は、撮像装置１１の撮影時の動作シーケンスを示すフローチャートである。本フローチャートに示す処理は撮像装置１１のＣＰＵ３０が制御プログラムに基づき実行する。
【００５５】
図１０において、使用者が撮像装置１１の電源をＯＮにすると（ステップＳ１）、ＣＰＵ３０は駆動回路３５を介してレンズ駆動モータ７の動作を開始させ、ＣＷ方向に回転させる（ステップＳ２）。レンズ駆動モータ７の回転動作に伴い、レンズ移動第二ギア７ａ及びレンズ移動第一ギア９を介してレンズ移動部５が回転する。ＣＰＵ３０はレンズ移動部５の被検出部５ｄがレンズ移動検出部１０を横切ったとき、レンズ移動部５の位置をリセット位置として検出し、その時点でカウンタ（不図示）をリセットする（ステップＳ３）。
【００５６】
ＣＰＵ３０はそのままレンズ駆動モータ７をＣＷ方向に回転させ、レンズ移動部５の回転により第一レンズ保持部２を移動させることにより、第一レンズ１を移動させる。その後、ＣＰＵ３０は所定のステップ数だけレンズ駆動モータ７を回転動作させ、レンズ移動部５を基準位置で停止させる（ステップＳ４）。その後、使用者がレリーズボタン１９を押すことで（ステップＳ５）、撮像装置１１に被写体の撮影動作を行わせる。
【００５７】
使用者によりレリーズボタン１９が押されると、レンズ駆動モータ７が一定のステップ数だけ回転動作し（ステップＳ６）、被写体に対する合焦ポイントまで第一レンズ１を移動させる（ステップＳ７）。ＣＰＵ３０はその状態でシャッタ機構４１を動作させ（ステップＳ８）、撮像デバイス３９により撮像された被写体の画像をメモリカードドライブ３４によりメモリカードに記憶する（ステップＳ９）。その後、ＣＰＵ３０はレンズ駆動モータ７をＣＣＷ方向に回転させることにより、第一レンズ１を基準位置へ移動させる（ステップＳ１０）。
【００５８】
以上説明したように、本実施の形態によれば、一方のレンズを駆動する構成部品、即ち、第一レンズ１を保持した第一レンズ保持部２と、第一レンズ保持部２を光軸方向に移動させるレンズ移動部５とを、他方のレンズを保持する構成部品、即ち、第二レンズ３を保持した第二レンズ保持部４に対し、バヨネット状に組み込んで保持する構造としている。
【００５９】
これにより、第一レンズ１と第二レンズ３の偏芯、レンズ間隔、光軸の倒れの保証、寸法の補正等の対策を行いやすくすることができると共に、安定的な光学性能を出しやすくすることができ、より精度の良いレンズ保持構造を実現することができる。
【００６０】
また、上記のようなレンズ保持構造とすることで、第二レンズ３に対する第一レンズ１の寸法精度を確保するのに少ない部品で構成できるため、部品点数を低減できると共にコスト低下を図ることができる。
【００６１】
［他の実施の形態］
上記実施の形態では、第一レンズ群を１個のレンズから構成し、第二レンズ群を２個のレンズから構成した場合を例に挙げたが、これに限定されるものではなく、第一レンズ群及び第二レンズ群の各々のレンズ個数は任意である。
【００６２】
上記実施の形態では、撮像装置としてデジタルカメラを例に挙げたが、これに限定されるものではなく、フィルムカメラ、ビデオカメラ等の他の撮像装置にも適用することができる。
【図面の簡単な説明】
【００６３】
【図１】本発明の実施の形態に係る撮像装置のフォーカス機構の構成を示す概略断面図である。
【図２】フォーカス機構を前方から見た場合の構成を示す分解斜視図である。
【図３】フォーカス機構を後方から見た場合の構成を示す分解斜視図である。
【図４】撮像装置の電源ＯＮ状態における斜視図である。
【図５】撮像装置の電源ＯＦＦ状態における斜視図である。
【図６】撮像装置の電源ＯＮ状態における上面図である。
【図７】撮像装置の底面図である。
【図８】撮像装置の背面図である。
【図９】撮像装置の要部の構成を示すブロック図である。
【図１０】撮像装置の撮影時の動作シーケンスを示すフローチャートである。
【符号の説明】
【００６４】
１  第一レンズ（一方のレンズに対応）
２  第一レンズ保持部（第一レンズ保持手段に対応）
２ａ  フォロワ部（突起部に対応）
３  第二レンズ（他方のレンズに対応）
４  第二レンズ保持部（第二レンズ保持手段に対応）
４ａ  保持部（保持部に対応）
５  レンズ移動部（レンズ移動手段に対応）
５ａ  カム部（カム部に対応）
５ｂ  保持部（係合部に対応）
７  レンズ駆動モータ（駆動手段に対応）
７ａ  レンズ移動第二ギア（伝達手段に対応）
８  第一レンズ押圧部（押圧手段に対応）
９  レンズ移動第一ギア（伝達手段に対応）
１１  撮像装置
３０  ＣＰＵ（制御手段に対応）
【図１】
2005227556.tif 000003
【図２】
2005227556.tif 000004
【図３】
2005227556.tif 000005
【図４】
2005227556.tif 000006
【図５】
2005227556.tif 000007
【図６】
2005227556.tif 000008
【図７】
2005227556.tif 000009
【図８】
2005227556.tif 000010
【図９】
2005227556.tif 000011
【図１０】
2005227556.tif 000012